(57)【要約】【課題】干渉を受けないチャネルリソースで通信できる。【解決手段】周期的な送信に使用する第１チャネルと送信が必要な場合に使用可能な第２チャネルとで通信し、第２チャネルで送信する場合、第１チャネルで送信しない端末と通信する基地局において、第２チャネルで送信し、第１チャネルで送信しないタイミングで、第１チャネルリソースにおける無線リソースに対する干渉レベルを測定する測定部と、干渉レベルが所定の条件を満たす場合に、干渉に関する第１チャネルのリソースの変更を決定する判定部と、を含む基地局である。【選択図】図７
2017220731.tif 000002
【特許請求の範囲】
【請求項１】
周期的な送信に使用する第１チャネルと送信が必要な場合に使用可能な第２チャネルとで通信し、前記第２チャネルで送信する場合、前記第１チャネルで送信しない端末と通信する基地局において、
前記端末が前記第２チャネルで送信するとともに前記第１チャネルで送信しないタイミングで、前記第１チャネルのリソースにおける干渉レベルを測定する測定部と、
前記干渉レベルが所定の条件を満たす場合に、干渉に関する前記第１チャネルのリソースの変更を決定する判定部と、
を含む基地局。
【請求項２】
前記所定の条件は、干渉レベルが所定の閾値を超過する回数が所定の値に達することである
請求項１に記載の基地局。
【請求項３】
前記リソースの変更とは、変更前の周波数リソースと異なる周波数リソースに変更することを示す
請求項２に記載の基地局。
【請求項４】
周期的な送信に使用する第１チャネルと送信が必要な場合に使用可能な第２チャネルとで基地局と通信し、前記第２チャネルで送信する場合、前記第１チャネルで送信しないように前記基地局と通信する端末において、
前記基地局からの干渉に関する変更要求に基づいて、前記１チャネルの無線リソースを変更し、変更された無線リソースで基地局と通信する通信部を備えた端末。
【請求項５】
周期的な送信に使用する第１チャネルと送信が必要な場合に使用可能な第２チャネルとで通信し、前記第２チャネルで送信する場合、前記第１チャネルで送信しない端末と通信する基地局が、
前記端末が前記第２チャネルで送信するとともに前記第１チャネルで送信しないタイミングで、前記第１チャネルの無線リソースにおける干渉レベルを測定し、
前記干渉レベルが所定の条件を満たす場合に、干渉に関する前記第１チャネルのリソースの変更を決定する、
ことを含む無線通信システムのチャネル制御方法。
【発明の詳細な説明】
【技術分野】
【０００１】
本発明は、基地局，端末及び無線通信システムのチャネル制御方法に関する。
【背景技術】
【０００２】
無線通信方式の一つであるLong Term Evolution（ＬＴＥ）の上りリンクでは、レイヤ
１及びレイヤ２の制御情報が、Physical Uplink Control Channel（ＰＵＣＣＨ：物理上
り制御チャネル）を用いて送信される。制御情報は、再送要求信号（ＡＣＫ（Acknowledgement）／ＮＡＣＫ（Negative ACK）信号），Scheduling Request（ＳＲ：スケジューリ
ング要求信号），Channel Quality Indicator（ＣＱＩ：チャネル品質信号）を含む。Ｐ
ＵＣＣＨは、一定の周期で送信される。
【０００３】
図１は、無線通信システムの一例を示す。無線端末（User Equipment (ＵＥ)と呼ばれ
る）である、ＵＥ♯１及びＵＥ♯２は、上りチャネルであるＰＵＣＣＨにて、制御情報を基地局へ送信している。ＵＥ♯１は、基地局２Ａと接続して通信をしており、ＵＥ♯２は、基地局２Ｂと接続して通信している。しかし、ＵＥ♯１が基地局２Ａから割り当てられたＰＵＣＣＨのリソース（「無線リソース」ともいう。以下ＰＵＣＣＨリソースと表記）と、ＵＥ♯２が基地局２Ｂから割り当てられたＰＵＣＣＨリソースが同じ場合、ＵＥ＃１から基地局２Ａへの電波が干渉として作用し、基地局２Ｂでは、ＵＥ♯２からのＰＵＣＣＨを受信できないという場合があった。そこで、この問題を回避するために、基地局２Ａと基地局２Ｂとで連携して、割り当てるＰＵＣＣＨリソースをＵＥ♯１とＵＥ♯２で重複しないように制限をかけることが考えられる。しかし、使用可能なリソースが少ないので、多くのＵＥを基地局が収容できくなり、必ずしもそのような問題が一律に生じるとは限らず、非効率となる。また、上記のようなＰＵＣＣＨリソースに基地局間で制限をかけない場合には、依然として基地局がＵＥから必要なＰＵＣＣＨを受信できない場合が生じるという問題がある。
【先行技術文献】
【特許文献】
【０００４】
【特許文献１】特開２０１０−１７８２３７号公報
【特許文献２】特開２０１４−１６８３１０号公報
【発明の概要】
【発明が解決しようとする課題】
【０００５】
既存の通信システムを大幅な変更をせずに、他のＵＥからの干渉を受けないＰＵＣＣＨリソースを割り当て、通信できる解決策を検討する必要がある。
【０００６】
本発明は、干渉を受けないチャネルリソースに変更できる端末、基地局及び無線通信システムのチャネル制御方法を提供することを目的とする。
【課題を解決するための手段】
【０００７】
本発明の一態様は、周期的な送信に使用する第１チャネルと送信が必要な場合に使用可能な第２チャネルとで通信し、第２チャネルで送信する場合、第１チャネルで送信しない端末と通信する基地局において、第２チャネルで送信し、第１チャネルで送信しないタイミングで、、第１チャネルリソースにおける無線リソースに対する干渉レベルを測定する測定部と、干渉レベルが所定の条件を満たす場合に、干渉に関する第１チャネルのリソースの変更を決定する判定部と、を含む基地局である。
【発明の効果】
【０００８】
本発明によれば、干渉を受けないチャネルリソースで通信できる。
【図面の簡単な説明】
【０００９】
【図１】図１は、無線通信システムの一例を示す図である。
【図２】図２は、実施形態の説明図である。
【図３】図３は、実施形態の説明図である。
【図４】図４は、実施形態の説明図である。
【図５】図５は、基地局のハードウェア構成例を示す図である。
【図６】図６は、基地局が有する機能を説明する図である。
【図７】図７は、ＰＵＣＣＨの干渉量（干渉電力）の監視及びＰＵＣＣＨの割り当て変更に係る処理の説明図である。
【図８】図８は、基地局における処理の概要を示すフローチャートである。
【図９】図９は、上り制御信号処理部が通知するＵＬスケジューリング情報の一例を示す。
【図１０】図１０は、基地局の処理の詳細の説明において使用される、パラメータ，テーブル，リスト，関数の一例を示す。
【図１１】図１１は、基地局の処理の詳細の説明において使用される、パラメータ，テーブル，リスト，関数の一例を示す。
【図１２】図１２は、基地局における処理の詳細を示すフローチャートである。
【図１３】図１３は、基地局における処理の詳細を示すフローチャートである。
【図１４】図１４は、基地局における処理の詳細を示すフローチャートである。
【図１５】図１５は、基地局における処理の詳細を示すフローチャートである。
【発明を実施するための形態】
【００１０】
以下、図面を参照し、基地局及びそのチャネル制御方法の実施形態について説明する。実施形態の構成は例示であり、本発明は実施形態の構成に限定されない。
【００１１】
図１は、無線通信システムの一例を示す図である。図１には、複数の無線基地局（ＢＴＳ、以下「基地局」と表記）２と、複数の無線端末（ＵＥ）１とが図示されている。具体的には、複数の基地局２の一例として、セル＃１（cell #1）を形成する基地局２Ａと、
一部がセル＃１と重なるセル＃２（cell #1）を形成する基地局２Ｂとが例示されている
。基地局２Ａと基地局２Ｂとを区別しない場合は、基地局２の表記を用いる。
【００１２】
また、図１には、複数のＵＥ１の一例として、基地局２Ａと接続された（基地局２Ａの配下にある）ＵＥ＃１と、基地局２Ｂと接続された（基地局２Ｂの配下にある）ＵＥ＃２とが例示されている。ＵＥ＃１とＵＥ＃２とを区別しない場合には、ＵＥ１の表記を用いる。
【００１３】
基地局２とＵＥ１とは、所定の無線通信規格に従って通信する。実施形態では、無線通信規格がＬＴＥである場合について説明する。但し、後述するＰＵＣＣＨとＰＵＳＣＨとの関係と同等の関係にあるチャネルを有する無線通信規格であれば、ＬＴＥ以外の無線通信規格を適用することができる。また、実施形態では、ＰＵＣＣＨが、複数あるフォーマットのうちのPUCCH format 2 (CPI)である場合を例示する。
【００１４】
ＵＥ１は、物理上り制御チャネル（ＰＵＣＣＨ）を用いて、基地局２に制御情報を送信する。制御情報は、既に説明したように、再送要求信号（ＡＣＫ／ＮＡＣＫ）信号，スケジューリング要求信号（ＳＲ），チャネル品質信号（ＣＱＩ）などを含む。基地局２は、配下の各ＵＥ１に関して、ＰＵＣＣＨの無線リソースの割り当てを行い、下りリンク（Downlink: DL）割り当て結果を各ＵＥ１に通知する。各ＵＥ１は、ＰＵＣＣＨの割り当て結
果に基づく送信タイミングで制御情報を基地局２へ送信する。
【００１５】
基地局２Ａ及び基地局２Ｂによる無線リソースの割り当てによって、ＵＥ＃２が基地局２ＢへＰＵＣＣＨを用いて制御情報を送信する場合に、ＵＥ＃２に割り当てられた無線リソースと同じ無線リソースを用いてＵＥ＃１が制御情報を送信することがあり得る。このとき、図１に示すように、ＵＥ＃１がセル＃１とセル＃２との重複範囲（境界エリア）に位置する場合には、ＵＥ＃１から送信される電波が、ＵＥ＃２から基地局２Ｂ向けに送信された電波に対する干渉波となる。
【００１６】
図２，図３，図４は、実施形態の説明図である。図２は、サブフレームにおけるＵＥ＃２への無線リソースの割り当て状況の例を示す。ＬＴＥでは無線フレーム（radio frame
：単にフレームと呼ばれる）という時間の単位がある。１フレームは１０ｍｓ周期である。１フレームは１０のサブフレーム（subframe：１ｍｓ）に分割される。さらに、１つのサブフレームは、２つのスロットに分割される。サブキャリア間隔は１５ｋＨｚで、１２個の連続するサブキャリアを束ねたものがリソースブロック（ＲＢ）と呼ばれる。通信に使用するＲＢの数を変更することで、容量を変化させることができる。無線リソースは、図２に示すような、横軸が時間で縦軸がサブキャリア（ＲＢ）のグラフにおける矩形で特定できる。
【００１７】
図２の左側には、ＵＥ＃２に割り当てられたＰＵＣＣＨのタイミングで、ＵＥ＃１がＰＵＣＣＨを送信（ＰＵＣＣＨを用いて制御情報を送信）する場合の例が示されている。図２において、ＵＥ＃２には、基地局２Ｂによって、スロット＃０（slot#0）且つＲＢ＃０の無線リソースがＰＵＣＣＨの制御情報を送信するための無線リソースとして割り当てられている。さらに、ＵＥ＃２には、スロット＃１（slot#1）におけるＲＢ“ＮRBUL−１”も、ＰＵＣＣＨの制御情報を送信するための無線リソースとして割り当てられている。
【００１８】
上記したＵＥ＃２に対するＰＵＣＣＨの割り当て箇所と同じ箇所が、基地局２Ａによって、ＵＥ＃１に割り当てられることが起こり得る。この場合、基地局２Ｂでは、受信されるＵＥ＃２のＰＵＣＣＨに係る受信内容として、ＵＥ＃１から送信された電波（干渉波）とＵＥ＃２から送信された電波とが混ざったものを受信する。このような、ＵＥ＃１からの干渉によって、基地局２ＢがＵＥ＃２からの正常情報を適正に受信できない場合が起こり得る。
【００１９】
ＰＵＣＣＨは、一定の周期でサブフレームに割り当てられる。図２の右側には、ＵＥ＃２に対するＰＵＣＣＨの割り当て周期において、ＵＥ＃２に対し、上り物理共有チャネル（Physical Uplink Sheared CHanel（ＰＵＳＣＨ）が割り当て（スケジューリング）された場合を示す。ＵＥ＃２は、ＰＵＳＣＨがスケジューリングされたサブフレームにおいてＰＵＣＣＨを用いた送信を行わない（ＰＵＣＣＨの送信を停止（キャンセル）する）。
【００２０】
このため、スロット＃０（slot#0）におけるＲＢ＃０の無線リソース、及びがスロット＃１（slot#1）におけるＲＢ“ＮRBUL−１”の無線リソースに対する電力測定によって測定される電力は、以下と判断できる。すなわち、隣接セル（ＵＥ＃１）からの干渉電力と判断することができる。
【００２１】
実施形態では、基地局２Ｂが、ＵＥ＃２に関してＰＵＣＣＨ及びＰＵＳＣＨが割り当てられたサブフレームにおけるＰＵＣＣＨの無線リソース位置の干渉電力（干渉量）を測定する。基地局２Ｂは、図３に示すように、干渉量が所定の閾値ＴＨを超えるか否かを判定する。
【００２２】
そして、基地局２Ｂは、閾値を超過する干渉電力が所定回数測定された場合に、ＵＥ＃
２に対するＰＵＣＣＨの割り当て位置を変更する。ＵＥ＃２のＰＵＣＣＨが隣接セルからの干渉を受けていると判定できるからである。例えば、図４の右側に示すように、基地局２Ｂは、ＵＥ＃２に割り当てるＰＵＣＣＨの無線リソースを、例えば、スロット＃０のＲＢ“ＮRBUL−１”及びスロット＃１のＲＢ＃０に変更する。これにより、スロット＃０のＲＢ＃０及びＲＢ“ＮRBUL−１”に送信されるＵＥ＃１からの干渉波による影響が低減される。このような割り当て位置の変更によって、干渉を抑え、通信品質が向上する可能性を高めることができる。
【００２３】
なお、無線基地局２は、「基地局」の一例であり、無線端末１は、「端末」の一例である。ＰＵＣＣＨは、「第１チャネル」の一例であり、ＰＵＳＣＨは、「第２チャネル」の一例である。実施形態では、第１チャネル及び第２チャネルが上りチャネルである例を示しているが、下りチャネルである場合もあり得る。
【００２４】
＜基地局の構成＞
図５は、基地局２のハードウェア構成例を示す図である。図５において、基地局２は、装置制御部として動作するＣＰＵ（Central Processing Unit）１１と、スケジューラと
して動作するＤＳＰ（Digital Signal Processor）及びＣＰＵ１２とを含む。ＣＰＵ１１は、メモリ１３と接続されており、ＤＳＰ及びＣＰＵ１２は、メモリ１４と接続されている。ＣＰＵ１１とＤＳＰ及びＣＰＵ１２とは、スイッチＳＷを介して接続されている。
【００２５】
スイッチＳＷには、ベースバンド（ＢＢ）処理部として動作するＤＳＰ及びＦＰＧＡ（Field Programmable Gate Array）１５が接続されている。ＤＳＰ及びＦＰＧＡ１５には
、ＲＦ（Radio Frequency）回路１６が接続されており、ＲＦ回路１６はアンテナ１７と
接続されている。
【００２６】
メモリ１３及びメモリ１４のそれぞれは、主記憶装置と補助記憶装置とを含む。主記憶装置は、プログラムの展開領域，ＣＰＵ１１（ＤＳＰ及びＣＰＵ１２）の作業領域，データやプログラムの記憶領域又はバッファ領域として使用される。主記憶装置は、例えばRandom Access Memory（ＲＡＭ），或いはＲＡＭとRead Only Memory（ＲＯＭ）との組み合わせで形成される。
【００２７】
補助記憶装置は、例えば、ハードディスクドライブ（ＨＤＤ），Solid State Drive（
ＳＳＤ），フラッシュメモリ，Electrically Erasable Programmable Read-Only Memory
（ＥＥＰＲＯＭ）などの不揮発性記憶媒体で形成される。補助記憶装置は、データやプログラムの記憶領域として使用される。
【００２８】
ＣＰＵ１１は、メモリ１３に記憶されたプログラムを実行することによって、装置制御部として動作する。また、ＤＳＰ及びＣＰＵ１２は、メモリ１４に記憶されたプログラムを実行することによって、スケジューラとして動作する。ＤＳＰ及びＦＰＧＡ１５は、ベースバンド信号を扱うＢＢ処理部として動作する。ＲＦ回路１６は、ＢＢ信号と無線信号との間の変換処理等を行う。アンテナ１７は、無線信号の送受信を行う。
【００２９】
なお、図５に示す例では、基地局２がＢＢ処理部とＲＦ回路とを含む構成について説明した。但し、基地局２は、ＢＢ処理部を含むＢＢＵ（Base Band Unit）と、ＲＦ回路１６及びアンテナ１７を含むＲＲＨ（Remote Radio Head）とが、所定の通信インタフェース
（例えばＣＰＲＩ（Common Public Radio Interface））を介して接続された構成を有し
ていても良い。
【００３０】
図６は、基地局２が有する機能を説明する図である。図５にしたＣＰＵ１１は、プログラムの実行によって、装置制御部２１として動作する。装置制御部２１は、ＲＲＣ（Radi
o Resource Control）レイヤの処理を行うＲＲＣレイヤ処理部、及びアプリケーション層の処理を行うアプリケーション処理部として動作する。また、装置制御部２１は、有線伝送路インタフェース処理部として動作する。有線伝送路インタフェース処理部は、有線伝送路を介して、隣接基地局，Mobility Management Entity（ＭＭＥ），サービング基地局（Ｓ−ＧＷ），上位システムなどと接続される。さらに、装置制御部２１は、基準クロック（ＣＬＫ）生成部として動作する。
【００３１】
図５に示したＤＳＰ及びＣＰＵ１２は、スケジューラ２２として動作する。ＤＳＰ及びＦＰＧＡ１５は、下りリンク（ＤＬ）側のＢＢ処理部２３と、上りリンク（ＵＬ）側のＢＢ処理部２４として動作する。ＲＦ回路１６は、送信処理部２５及び受信処理部２６として動作する。
【００３２】
装置制御部２１から出力される送信信号（パケット）は、ＢＢ処理部２３にてＤＬのＢＢ信号に変換され、送信処理部２５にて無線信号（ＤＬ信号）に変換され、アンテナ１７から放射（送信）される。一方、アンテナ１７で受信される無線信号（ＵＬ信号）は、受信処理部２６にてＵＬのＢＢ信号に変換され、ＢＢ処理部２４にて復調され、受信信号として装置制御部２１に入力される。
【００３３】
装置制御部２１は、スケジューラ２２と制御情報をやりとりすることで、配下の各ＵＥ１との通信（無線リソースの割り当て）のスケジューリングを行う。スケジューリングの結果に基づき、スケジューラ２２は、ＢＢ処理部２３に、ＤＬスケジューリング情報や、ＵＬ制御情報を供給する。ＢＢ処理部２３は、ＤＬスケジューリング情報やＵＬ制御情報を下りチャネルにマッピングする。ＤＬスケジューリング情報を用いて各ＵＥ１に対するＰＵＣＣＨの割り当てを示す情報が各ＵＥ１に通知される。また、スケジューラ２２は、ＢＢ処理部２４からＵＬスケジューリング情報や、ＰＵＣＣＨに対する干渉電力値を受け取る。
【００３４】
図７は、実施形態で説明したＰＵＣＣＨの干渉量（干渉電力）の監視及びＰＵＣＣＨの割り当て変更に係る処理の説明図である。図７に示すように、ＢＢ処理部２４は、ＢＢ信号からCycle Prefix（ＣＰ）を除去し、高速フーリエ変換（ＦＦＴ）を行い、信号分離（Signal Separation）を行う。分離された信号を用いてチャネル推定（channel estimation）を行う。チャネル推定結果を用いてチャネル等化（Equalization）が行われ、さらに
、信号の復調及び復号が行われる(De-modulation & De-coding)。これらによって、受信
信号が得られる。
【００３５】
チャネル推定によって、ＰＵＣＣＨの位置が特定されると、ＢＢ処理部２４は、当該位置における受信信号パワーを検出する。ＢＢ処理部２４は、ＵＬスケジューリング情報を用いて、ＰＵＣＣＨが割り当てられたサブフレームにＰＵＳＣＨがスケジューリングされているか否かを判定する。ＰＵＳＣＨがスケジューリングされている（ＰＵＳＣＨの受信が予約されている）場合には、検出されたＰＵＣＣＨの無線リソース位置における受信信号パワーを干渉電力として測定し、所定の閾値ＴＨを超過するか否かを判定する。閾値ＴＨを超過するか否かの判定結果は、スケジューラ２２に通知される。
【００３６】
スケジューラ２２は、干渉測定結果判定部２２ａとして動作し、ＰＵＣＣＨに対する干渉電力の測定結果が閾値を超過する回数を計数する。スケジューラ２２は、回数が所定回数に達した場合には、装置制御部２１へＰＵＣＣＨの割り当て変更を依頼する。装置制御部２１は、ＰＵＣＣＨリソース変更処理部２３ａとして動作し、ＰＵＣＣＨの無線リソースの割り当て位置を変更する。スケジューラ２２は、上り制御信号処理部２２ｂとして動作し、ＢＢ処理部２３に、ＰＵＣＣＨの割り当て位置を変更するためのＵＬ制御情報を展開する。
【００３７】
ＤＬを用いて送信されるＤＬスケジューリング情報は、各ＵＥに対するＰＵＣＣＨリソースの割当結果を含み、ＰＵＣＣＨリソース変更処理部２３ａによって変更された、変更後のＰＵＣＣＨリソースを示す情報も含む。ＤＬスケジューリング情報は、ＢＢ信号処理部２３（図６）にてＤＬＢＢ信号にマッピングされ、送信処理部２５でＤＬ信号に変換され、ＵＥ１に送信される。ＵＥ１は、基地局から受信されたＤＬスケジューリング情報中の変更後のＰＵＣＣＨリソースを示す情報を認識すると、変更後のＰＵＣＣＨリソースを用いてＰＵＣＣＨを送信するようになる。
【００３８】
なお、図５に示したメモリ１３，メモリ１４のそれぞれは、「記憶装置」，「記憶媒体」，「記憶部」の一例である。ＣＰＵは、「プロセッサ」、「制御装置」、「制御部」の一例である。ＣＰＵは、ＭＰＵ（Microprocessor）、プロセッサとも呼ばれる。ＣＰＵは、単一のプロセッサに限定される訳ではなく、マルチプロセッサ構成であってもよい。また、単一のソケットで接続される単一のＣＰＵがマルチコア構成を有していても良い。ＣＰＵで行われる処理の少なくとも一部は、ＣＰＵ以外のプロセッサ、例えば、Digital Signal Processor(ＤＳＰ)、Graphics Processing Unit（ＧＰＵ）、数値演算プロセッサ、ベクトルプロセッサ、画像処理プロセッサ等の専用プロセッサで行われても良い。
【００３９】
また、ＣＰＵで行われる処理の少なくとも一部は、集積回路（ＩＣ）、その他のディジタル回路で行われても良い。また、集積回路やディジタル回路はアナログ回路を含んでいても良い。集積回路は、ＬＳＩ，Application Specific Integrated Circuit（ＡＳＩＣ
），プログラマブルロジックデバイス（ＰＬＤ）を含む。ＰＬＤは、例えば、Field-Programmable Gate Array(FPGA)を含む。ＣＰＵで行われる処理の少なくとも一部は、プロセ
ッサと集積回路との組み合わせにより実行されても良い。組み合わせは、例えば、マイクロコントローラ（ＭＣＵ），ＳｏＣ（System-on-a-chip），システムＬＳＩ，チップセットなどと呼ばれる。
【００４０】
なお、干渉測定部２４ｂは、「測定部」の一例であり、干渉測定結果判定部２２ａは、「判定部」の一例である。
【００４１】
＜ＵＥの構成＞
ＵＥ１のハードウェア構成としては、例えば、図６に示すように、ＣＰＵ１１Ａ，メモリ１３Ａ，スイッチＳＷ，ＤＳＰ及びＦＰＧＡ１５Ａ，ＲＦ回路１６Ａ及びアンテナ１７Ａを含む。ＣＰＵ１１Ａは、メモリ１３Ａを用いてＯＳ及びアプリケーションプログラムを実行する。
【００４２】
ＣＰＵ１１Ａは、基地局２から送信される無線信号をアンテナ１７Ａで受信し、ＢＢ処理部によるＢＢ処理を経て受信信号を得る。ＣＰＵ１１Ａは、受信信号中のＰＤＣＣＨ（Physical Downlink Control Channel）のＤＬスケジューリング情報からＰＵＣＣＨリソ
ース（ＰＵＣＣＨの無線リソース）の割当結果（割り当て位置）を認識する。ＣＰＵ１１Ａは、認識した（基地局によって指定された）ＰＵＣＣＨの送信タイミングで（割り当てられた無線リソースを用いて）制御信号（ＣＱＩ等）を送信する。ＰＵＣＣＨリソースの割当結果が、ＰＵＣＣＨリソース変更処理部２３ａでの変更結果を示す場合、ＣＰＵ１１Ａは、ＰＵＣＣＨの送信に使用されるＰＣＣＣＨリソースを変更する。よって、他のＵＥ１からの干渉の低減を図ることができる。なお、各ＵＥ１は、ＤＬスケジューリング情報に対するスケジューリング情報（ＵＬスケジューリンググラント）を基地局２に送る。このようなＵＬスケジューリンググラントを用いて、基地局２は、ＵＬスケジューリング情報を生成する。
【００４３】
ＰＵＣＣＨリソースの割当結果は、「基地局からの干渉に関する変更要求」の一例であ
る。ＵＥ１は、基地局２から周期的に通知されるＵＬ制御情報中のＰＵＣＣＨリソースの割当結果（各ＵＥ１に対するＰＵＣＣＨリソースの指定情報）により自局が使用するＰＵＣＣＨを認識しても良い。或いは、ＵＬ制御情報とは別に基地局２から受信される干渉に関する変更要求のメッセージ（変更後のＰＵＣＣＨリソースを示す情報を含む）に基づき、ＰＵＣＣＨリソースを変更するようにしても良い。ＣＰＵ１１Ａは、「通信部」の一例である。
【００４４】
＜基地局における処理＞
図８は、基地局における処理の概要を示すフローチャートである。図８において、０１の処理において、基地局２は、上り制御信号処理として、サブフレーム単位でＵＬスケジューリング情報を生成する。
【００４５】
０２の処理において、基地局２は、ＵＬスケジューリング情報を用いて、予約ＰＵＣＣＨ干渉測定対象ＵＥリストを生成する。予約ＰＵＣＣＨ干渉測定対象ＵＥリストには、サブフレームにＰＵＣＣＨが予約され、且つＰＵＳＣＨがスケジューリングされた（割り当てられた）ＵＥが記憶される。
【００４６】
０３の処理において、基地局２は、ＰＵＳＣＨ及びＰＵＣＣＨが割り当てられたサブフレームの受信時（ＵＥ１によるＰＵＳＣＨの送信時）に、以下を行う。すなわち、基地局２は、ＰＵＣＣＨの無線リソースに対する干渉レベル（干渉電力）の測定結果に基づいて、ＵＥ１のＰＵＣＣＨの変更要否を判定する。０４では、基地局２は、０３の処理にて無線リソースの変更要と判定されたＵＥ１に関する無線リソースを確保し、スケジューラ３３に通知する。これによって、ＰＵＣＣＨの無線リソースが変更され、干渉が低減される可能性を高めることができる。
【００４７】
図９は、ＵＬスケジューリング情報の一例を示す。“Npucch_ue”は、処理対象のサブ
フレームがＰＵＣＣＨ受信周期である（サブフレームにＰＵＣＣＨの無線リソースが予約されている）ＵＥ１の数である。“Npusch_ue”は、処理対象のサブフレームでＰＵＳＣ
Ｈが受信されるＵＥ１の数である。
【００４８】
“ueid_of_pusch_ue[]”は、処理対象のサブフレームでＰＵＳＣＨを用いてデータを送信するＵＥの識別子（ＵＥＩＤ）が格納されるリストである。“ueid_of_pucch_ue[]”は、処理対象のサブフレームがＰＵＣＣＨの受信周期である（ＰＵＣＣＨを用いて制御情報を送信する）ＵＥ１のＵＥＩＤのリストである。
【００４９】
“resource_pucch_ue[]”は、処理対象のサブフレームがＰＵＣＣＨ受信周期であるＵ
Ｅ１のＰＵＣＣＨの無線リソースを示す情報が記憶されるリストである。リストの格納順は、“ueid_of_pucch_ue[]”と同じである。
【００５０】
図１０，図１１は、基地局２の処理の詳細の説明において使用される、パラメータ，テーブル，リスト，関数の一例を示す。図１０において、“pucch_canceled_ueid[]”は、
予約ＰＵＣＣＨリソース干渉測定対象ＵＥ（ＰＵＳＣＨ送信によりＰＵＣＣＨ送信がキャンセルされたＵＥ１)のリストである。ＵＥ１自身に現在予約されているＰＵＣＣＨ無線
リソースの干渉測定を実施する対象となったＵＥ１のＵＥＩＤが格納される。干渉測定対象となるＵＥ１は、ＰＵＳＣＨ送信によりＰＵＣＣＨ送信がキャンセルされたＵＥ１である。
【００５１】
“pucch_canceled_resource[]”は、上記の干渉測定対象ＵＥのＰＵＣＣＨ無線リソー
ス情報リストである。このリストには、干渉測定対象となったＵＥ１に現在予約されているＰＵＣＣＨの無線リソースを示す情報が記憶される。当該リストに対する無線リソース
を示す情報の格納順は、“pucch_canceled_ue[]”の格納順と同じである。
【００５２】
“N_pucch_canceled_ue”は、干渉測定対象ＵＥ数を示す。干渉測定対象となったＵＥ
１の数がカウントされた数である。“interference[]”は、上記の干渉測定対象となったＵＥ１のＰＵＣＣＨ無線リソースにおける干渉電力測定結果を格納するリストである。
【００５３】
“measure_interference(resource)”は、現在処理しているＰＵＣＣＨ無線リソースの干渉レベルの測定処理を実施し、結果を出力する関数である。“count_exceeded_interference[]”は、予約ＰＵＣＣＨ無線リソースの干渉レベルが所定閾値を超過した回数が格
納されるテーブルである。このテーブルでＵＥＩＤ毎に閾値超過回数が管理される。
【００５４】
“resouce_change_ueid[]”は、閾値超過回数が所定値を超過したＵＥ１のＵＥＩＤが
格納されるリストである。このリストに格納されたＵＥＩＤを持つＵＥ１に割り当てられるＰＵＣＣＨの無線リソースを変更する。“N_resouce_change_ue”は、ＰＵＣＣＨリソ
ース変更対象ＵＥ数を示す。ＰＵＣＣＨリソース変更対象ＵＥ数は。予約ＰＵＣＣＨリソースの干渉レベルの閾値超過回数が、所定周期内で基準を超え、ＰＵＣＣＨリソース変更対象となったＵＥ１がカウントされた数である。
【００５５】
なお、本実施形態では、ＰＵＣＣＨ受信周期であるＵＥ１のＵＥＩＤのリスト、及びＵＥ数は、各ＵＥのcqi-pmi-Configlandexに基づきスケジューラ２２で生成される（3GPP 36.213.2.2参照）。また、本実施形態では、ＰＵＳＣＨ受信ＵＥのＵＥＩＤリスト，ＵＥ
数は、ＰＵＳＣＨのスケジューリング結果に基づきスケジューラ２２で生成される。
【００５６】
本実施形態では、ＰＵＣＣＨ無線リソースとしてcqi-PUCCH-ResourceIndex (n_PUCCH^((2)))を通知することを仮定している。この無線リソース情報から、干渉測定部２４ｂと
して動作するＢＢ処理部２４は、ＵＥ１に予約されている各スロットのＰＵＣＣＨ ＰＲ
Ｂ（Physical Resource Blocks）番号を特定する。また、ＢＢ処理部２４は、無線リソース情報から、各ＯＦＤＭ（orthogonal frequency-division multiplexing）シンボルのサイクリックシフト番号を特定する。ＰＲＢ番号の特定方法や、サイクリックシフト番号の取得方法として、例えば、3GPP 5.4.2及び5.4.3章に記載された手法を適用できる。但し
、これ以外の手法も適用し得る。
【００５７】
“judgement_period”は、ＰＵＣＣＨの無線リソース変更の判断に用いる閾値超過回数のカウントを行う周期である。“timer_judgement”は、ＰＵＣＣＨの無線リソース変更
の判定に用いる閾値超過回数のカウントを行う周期内の経過時間をカウント（計時）するのに使用される。
【００５８】
“th_level”は、干渉レベルの閾値（干渉レベル閾値）を示す。“th_count”は、干渉レベル閾値の超過回数に対する閾値である。“N_pucch_resource_change_ok_ue”は、Ｐ
ＵＣＣＨの無線リソースが変更されるＵＥ１の数を示す。すなわち、ＰＵＣＣＨの無線リソース変更対象が決定されたＵＥ１の数が計数される。
【００５９】
“resouce_change_ok_potision[]”は、ＰＵＣＣＨの無線リソースが変更されるＵＥ１に変更先として割り当てられるＰＵＣＣＨ無線リソースを示す情報が格納されるリストである。“resouce_change_ok_ueid[]”は、ＰＵＣＣＨの無線リソースが変更されるＵＥ１のＵＥＩＤが格納されるリストである。“new_resouce_change_potision”は、空き状態
のＰＵＣＣＨの無線リソースの検索処理によって決定された変更先のＰＵＣＣＨの無線リソースを示す。
【００６０】
図１２，図１３，図１４，図１５は、基地局における処理の詳細を示すフローチャート
である。図１２は、ＢＢ処理部２４に含まれるＰＵＣＣＨ／ＰＵＳＣＨタイミング重複判定部２４ａ（以下、「判定部２４ａ」と表記）における処理例を示す。図１２の処理は、サブフレーム毎に実行される。
【００６１】
００１の処理では、判定部２４ａは、スケジューラ２２の上り制御信号処理部２２ｂからＵＬスケジューリング情報の取得を行う。００２の処理では、判定部２４ａは、予約ＰＵＣＣＨリソース干渉測定対象ＵＥ数の初期化を行う。００２の後に、処理対象のサブフレームでＰＵＳＣＨの受信周期である各ＵＥ１についてのループ処理が開始され、対象ＵＥ１が一つ特定される（００２ａ）ループ処理が開始されると、処理対象サブフレームがＰＵＣＣＨの受信周期である各ＵＥ１のループ処理が開始され、対象のＵＥ１が１つ特定される（００２ｂ）。
【００６２】
００３の処理において、判定部２４ａは、当該サブフレームがＰＵＣＣＨの受信周期であるＵＥ１に関して、当該サブフレームでＰＵＳＣＨを受信する周期であるか否かを判定する。当該サブフレームがＰＵＳＣＨの受信周期であると判定される場合には（００３のＹｅｓ）、００４へ処理が進む。００３でＮｏの判定がなされる場合には、００２ｂで特定された対象のＵＥ１に対する処理が終了し（００２ｃ）、処理が００２ｂに戻る。
【００６３】
００４の処理において、判定部２４ａは、干渉測定部２４ｂに通知するＵＥＩＤとＰＵＣＣＨの無線リソースを示す情報とを生成する。００５の処理において、判定部２４ａは、予約ＰＵＣＣＨリソース干渉測定対象ＵＥ数をインクリメントする。００６の処理で、全ての対象ＵＥに係る００３〜００５の処理が済んでいれば、ＰＵＣＣＨの受信周期であるＵＥのループが終了し、００２ｄを経て処理が当該サブフレームでＰＵＳＣＨを受信する。これに対し、残りの対象ＵＥがある場合には、００２ｃを経て処理００２ｂに戻る。００２ａに処理が戻った場合、残りのＵＥ１に関して、００２ｂ,００３〜００６,００２ｃ,００２ｄの処理が行われる。００２ｄで全対象のＵＥに対する処理が終了と判定され
ると、処理が００７に進む。
【００６４】
００７の処理では、判定部２４ａは、干渉測定対象ＵＥ数，予約ＰＵＣＣＨリソース干渉測定対象ＵＥのリスト，及び干渉測定対象のＰＵＣＣＨの無線リソース情報のリストを干渉測定部２４ｂに通知する。
【００６５】
このように、判定部２４ａは、サブフレーム毎に、そのサブフレームにてＰＵＳＣＨ送信がスケジューリングされているためにＰＵＣＣＨ送信がキャンセルされているＵＥの数、ＵＥのリスト、各ＵＥに割り当てられた無線リソースの特定情報を取得する。
【００６６】
図１３は、干渉測定部２４ｂの処理例を示すフローチャートである。図１３の処理は、予約ＰＵＣＣＨリソース干渉測定対象ＵＥ毎に行われる（０１０）。０１１の処理では、干渉測定部２４ｂは、処理対象のサブフレームにて予約ＰＵＣＣＨリソース干渉測定対象ＵＥに割り当てられていたＰＵＣＣＨの無線リソースを取得する。
【００６７】
０１２の処理では、干渉測定部２４ｂは、０１１で取得した無線リソースについての干渉電力測定を実施する。このように、干渉測定部２４ｂは、判定部２４ａで得られた情報に基づく干渉電力測定によって、ＰＵＣＣＨに対する干渉レベルを測定する。全ての予約ＰＵＣＣＨリソース干渉測定対象ＵＥについての０１１及び０１２の処理が終了すると、図１３の処理が終了する（０１０ａ）
【００６８】
図１４は、干渉測定結果判定部２２ａ（以下、「判定部２２ａ」と表記）の処理例を示すフローチャートである。図１４において、０２０にて、予約ＰＵＣＣＨリソース干渉測定対象ＵＥのうちの一つが選択され、選択されたＵＥに対し、０２１，０２２，０２３の
処理が行われる。
【００６９】
０２１の処理において、判定部２２ａは、予約ＰＵＣＣＨリソース干渉測定対象ＵＥのＵＥ番号を取得する。０２２の処理において、判定部２２ａは、干渉電力の測定値（干渉レベル）が所定の閾値を超過しているか否かを判定する。
【００７０】
干渉レベルが所定の閾値を超過していると判定される場合（０２２のＹｅｓ）、判定部２２ａは、閾値超過回数をインクリメントする。超過していないと判定される場合（０２２のＮｏ）、次の予約ＰＵＣＣＨリソース干渉測定対象ＵＥの処理に進む。
【００７１】
０２１〜０２３のループ処理が予約ＰＵＣＣＨリソース干渉測定対象ＵＥの全てについて行われる。予約ＰＵＣＣＨリソース干渉測定対象ＵＥの全てについてループ処理が終了すると（０２０ａ）、処理が０２４へ進む。０２４では、判定部２２ａは、閾値判定タイマの計時を開始し、予約ＰＵＣＣＨリソース変更対象ＵＥ数を初期化する（０２５）。
【００７２】
タイマ値が所定周期に到達する（タイムアウトになる）と、判定部２２ａは、全てのＵＥ１を対象としてその内の一つを選択し（０２６ａ）、０２７〜０３０の処理を行う。
【００７３】
０２７の処理において、判定部２２ａは、閾値超過回数が所定の値を超過しているか否かを判定する。所定の値を超過していないと判定される場合には（０２７のＮｏ）、処理が０３０へ進む。これに対し、閾値超過回数が所定の値を超過していると判定される場合には（０２７のＹｅｓ）、処理が０２８に進む。所定の値は、２以上の値でも１でも良い。
【００７４】
０２８の処理において、判定部２２ａは、閾値超過回数が所定の閾値を超過しているＵＥ１をＰＵＣＣＨリソース変更対象ＵＥのリストに記録する。０２９の処理において、判定部２２ａは、ＰＵＣＣＨリソース変更対象ＵＥ数をインクリメントする。０３０の処理において、判定部２２ａは、閾値超過回数を初期化する。０２７〜０３０の処理は、全てのＵＥ１について実行されるようにループする。全てのＵＥ１に対する０２７〜０３０の処理が終了すると（０２６ｂ）、０３１において、判定部２２ａは、閾値判定タイマを初期化する。
【００７５】
このように、判定部２２ａは、閾値判定タイマで計時される一定期間中の閾値超過回数を計数する一方で、閾値判定タイマの満了を契機に閾値超過回数が所定の値を超過するＵＥ１を、ＰＵＣＣＨの無線リソースの変更対象のＵＥのリストに記憶する。一定期間の長さは適宜設定可能である。
【００７６】
図１５は、ＰＵＣＣＨリソース変更処理部２３ａ（以下、「変更処理部２３ａ」と表記）の処理例を示すフローチャートである。０４１において、変更処理部２３ａは、ＰＵＣＣＨリソース変更ＯＫＥであるＵＥ数を初期化する。
【００７７】
変更処理部２３ａは、ＰＵＣＣＨリソース変更対象ＵＥのそれぞれについて以下の０４２〜０４５のループ処理を行う。０４１ａで、対象ＵＥのうちの一つを選択する。０４２では、変更処理部２３ａは、空きＰＵＣＣＨの無線リソースを検索し、０４３では、空きがあるか否かを判定する。
【００７８】
空きがあると判定される場合（０４３のＹｅｓ）、変更処理部２３ａは、上り制御信号処理部２２ｂに通知するＰＵＣＣＨリソース変更情報を、対応するリストに格納する（０４４）。０４５では、変更処理部２３ａは、ＰＵＣＣＨリソース変更ＯＫであるＵＥ数をインクリメントする。残りの対象ＵＥがあれば（０４１ｂ）、処理が０４１ａに戻り、次
の対象ＵＥが選択される。
【００７９】
ＰＵＣＣＨリソース変更対象ＵＥの全てについて０４２〜０４５の処理が終了すると（０４１ｂ）、０４６にて、変更リソース情報を上り制御信号処理部２２ｂに通知する。上り制御信号処理部２２ｂは、変更処理部２３ｂからの通知される情報を用いて、対象のＵＥに割り当てるＰＵＣＣＨリソースを変更する。無線リソースの変更にあたり、サイクリックシフト割当を行うことで、空き無線リソースの中で干渉レベルが低い無線リソースを変更先として選択できる。変更リソース情報は、例えばＲＲＣ（Radio Resource Control）メッセージを用いてＵＥに送信（通知）される。
【００８０】
＜実施形態の効果＞
以上説明した実施形態によれば、各端末について、ＰＵＳＣＨの送信（基地局での受信）がスケジューリング（予約）され、且つＰＵＣＣＨの受信周期であるサブフレームにて、ＰＵＣＣＨの無線リソースに対する干渉レベルが測定される。干渉レベルが所定条件、一例として所定の閾値を超過する回数が所定の値を超過するＵＥ１に関して、ＰＵＣＣＨの無線リソースの割り当てが変更される。割り当て変更により、ＰＵＣＣＨの変更前の無線リソースの位置に対する干渉源からの干渉が低減される可能性を高めることができる。以上説明した実施形態の構成は、適宜組み合わせることができる。
【符号の説明】
【００８１】
１・・・無線端末（端末）
２・・・無線基地局（基地局）
２２ａ・・・干渉判定結果判定部
２４ｂ・・・干渉測定部
【図１】
2017220731.tif 000003
【図２】
2017220731.tif 000004
【図３】
2017220731.tif 000005
【図４】
2017220731.tif 000006
【図５】
2017220731.tif 000007
【図６】
2017220731.tif 000008
【図７】
2017220731.tif 000009
【図８】
2017220731.tif 000010
【図９】
2017220731.tif 000011
【図１０】
2017220731.tif 000012
【図１１】
2017220731.tif 000013
【図１２】
2017220731.tif 000014
【図１３】
2017220731.tif 000015
【図１４】
2017220731.tif 000016
【図１５】
2017220731.tif 000017